(57)【要約】    【課題】ベッドユニットが上方に配置される木製のシステムベッドにおいて、横揺れに対する強度が高く、組み立て時の見栄えの良い構造が望まれていた。    【解決手段】ベッドユニット２の脚２２を支えるために、左側に本棚ユニット３を配置し、右側に衣類棚ユニット４を配置する。本棚ユニット３には上棚３４が備えられ、衣類棚ユニット４には上棚４４が備えられている。ベッドユニット２の脚２２は、それぞれ２本ずつ、上棚３４および上棚４４上に乗せられ、下方から支えられる。また、脚２２は本棚ユニット３の支柱３１とボルトで連結され、また、脚２２は衣類棚ユニット４の支柱４１とボルト１０で連結される。    【効果】横揺れに対しても強いシステムベッドの組み立て構造とすることができる。【選択図】            図５
2006055469.tif 000002
【特許請求の範囲】
【請求項１】
頭部側に備えられた２本の四角柱状の脚と、足部側に備えられた２本の四角柱状の脚とを有し、単体としても使用可能なベッドユニットと、
上記ベッドユニットの頭部側または足部側のいずれか一方の２本の脚を乗せる本棚ユニットと、
上記ベッドユニットの頭部側または足部側のいずれか他方の２本の脚を乗せる衣類棚ユニットとを備え、
上記本棚ユニットおよび衣類棚ユニットは、等しい高さを有し、それぞれ、四角柱状の４本の支柱と、４本の支柱の所定高さ位置に設けられた上記ベッドユニットの脚を乗せるための上棚とを有し、
上記上棚に乗せられたベッドユニットの各脚は、その外側面が、それぞれ、４本の支柱のうちの２本の支柱の、上棚から上方へ延びる部分の内側面と対向するようにされており、
上記対向する支柱と脚とは、それらを水平方向に貫通するボルトによって固定されていることを特徴とする、システムベッドの組み立て構造。
【請求項２】
頭部側に備えられた２本の四角柱状の脚と、足部側に備えられた２本の四角柱状の脚とを有し、単体としても使用可能な木製のベッドユニットと、
上記ベッドユニットの頭部側または足部側のいずれか一方の２本の脚を乗せる木製の本棚ユニットと、
上記ベッドユニットの頭部側または足部側のいずれか他方の２本の脚を乗せる木製の衣類棚ユニットと、
天板および天板の一端を支える脚を有し、天板の他端は上記本棚ユニットに係合されて支えられる木製の机ユニットとを備え、
上記各ユニットが組み立てられることにより、ベッドユニットの下方で本棚ユニットと衣類棚ユニットとの間に机を置く空間が生じ、その空間に上記机ユニットが配置されていることを特徴とするシステムベッド。
【発明の詳細な説明】
【技術分野】
【０００１】
この発明は、システムベッドおよびその組み立て構造に関し、特に、全てが木製のベッドユニット、本棚ユニット、衣類棚ユニット等が組み合わされて、狭い空間や部屋等を効率良く使用できるシステムベッドおよびその組み立て構造に関する。
【背景技術】
【０００２】
システムベッドの一例として、従来の木製２段ベッドは、下方のベッドの四隅に備えられた脚兼支柱の上に、上方のベッドの四隅に備えられた脚兼支柱が積み上げられ、下方のベッドの脚兼支柱と上方のベッドの脚兼支柱とが上下方向に一直線上につながる状態で組み立てられていた。（たとえば特開２００４−８７５９号公報）
また、ベッドと机との組合せ家具の場合も、上方に配置するベッドの支柱６は、上下方向に一直線状につながる状態で組み立てられていた。（たとえば特開２００４−２４４２５号公報）
【特許文献１】特開２００４−８７５９号公報
【特許文献２】特開２００４−２４４２５号公報
【発明の開示】
【発明が解決しようとする課題】
【０００３】
従来のシステムベッドは、ベッドユニットを上方に配置しようとした場合、たとえば２段ベッドとして、下ベッドの上に上ベッドユニットを配置しようとした場合、あるいは、ベッドユニットの脚を長い脚にし、背の高いいわゆるハイベッドとする場合、あるいは、机の上にベッドユニットを積み上げる場合において、いずれの場合も、上方に配置するベッドユニットの脚は、下方の部材の上面に乗せられて、上下方向に連結されるという構成であった。このため、上方に配置されたベッドユニットは、下方の部材で下からしっかりと受け止められるが、上下方向の連結構造であるから、横揺れ等に対する強度が弱いという課題があった。
【０００４】
この発明は、かかる背景のもとになされたもので、ベッドユニットを上方に配置するシステムベッドにおいて、ベッドユニットを配置するための組み立て構造が改善されたシステムベッドを提供することを目的とする。
またこの発明は、木製のシステムベッドであって、狭い空間を有効活用できるシステムベッドを提供することを目的とする。
【課題を解決するための手段】
【０００５】
請求項１記載の発明は、頭部側に備えられた２本の四角柱状の脚と、足部側に備えられた２本の四角柱状の脚とを有し、単体としても使用可能なベッドユニットと、上記ベッドユニットの頭部側または足部側のいずれか一方の２本の脚を乗せる本棚ユニットと、上記ベッドユニットの頭部側または足部側のいずれか他方の２本の脚を乗せる衣類棚ユニットとを備え、上記本棚ユニットおよび衣類棚ユニットは、等しい高さを有し、それぞれ、四角柱状の４本の支柱と、４本の支柱の所定高さ位置に設けられた上記ベッドユニットの脚を乗せるための上棚とを有し、上記上棚に乗せられたベッドユニットの各脚は、その外側面が、それぞれ、４本の支柱のうちの２本の支柱の、上棚から上方へ延びる部分の内側面と対向するようにされており、上記対向する支柱と脚とは、それらを水平方向に貫通するボルトによって固定されていることを特徴とする、システムベッドの組み立て構造である。
【０００６】
請求項２記載の発明は、頭部側に備えられた２本の四角柱状の脚と、足部側に備えられた２本の四角柱状の脚とを有し、単体としても使用可能な木製のベッドユニットと、上記ベッドユニットの頭部側または足部側のいずれか一方の２本の脚を乗せる木製の本棚ユニットと、上記ベッドユニットの頭部側または足部側のいずれか他方の２本の脚を乗せる木製の衣類棚ユニットと、天板および天板の一端を支える脚を有し、天板の他端は上記本棚ユニットに係合されて支えられる木製の机ユニットとを備え、上記各ユニットが組み立てられることにより、ベッドユニットの下方で本棚ユニットと衣類棚ユニットとの間に机を置く空間が生じ、その空間に上記机ユニットが配置されていることを特徴とするシステムベッドである。
【発明の効果】
【０００７】
請求項１の発明によれば、ベッドユニットが乗せられる本棚ユニットおよび衣類棚ユニットには、ベッドユニットの脚を乗せるための上棚が備えられている。それゆえ、システムベッドとして組み立てられたとき、ベッドユニットの各脚は本棚ユニットおよび衣類棚ユニットの上棚に乗る。よって、ベッドユニットの荷重は上棚でしっかりと受け止められ、安定して支えられる。
【０００８】
さらにこの発明では、本棚ユニットおよび衣類棚ユニットの上棚に乗せられたベッドユニットの脚は、その外側面と対向する本棚ユニットおよび衣類棚ユニットの支柱と水平方向にボルトによって固定される。つまり、ベッドユニットの脚は、上棚により下方から支えられるのに加え、水平方向にも移動しないよう、下方のユニットの支柱に固定される。よって、ベッドユニットは、横揺れに対しても強固に下方のユニットと連結された組み立て構造となる。
【０００９】
従って、この発明によれば、組み立て時の安定性が増加し、縦揺れや横揺れに対してぐらつくことなく、しっかりと安定したベッドユニットとすることができる。
請求項２の発明によれば、全てが木製のベッドユニット、本棚ユニット、衣類棚ユニットおよび机ユニットを組み合わせて、狭い空間や部屋等において、その空間を有効に活用できるシステムベッドを提供することができる。
【００１０】
なお、上記各発明にかかるベッドユニットは、単体としてもそのまま（付属部品など取付ける必要なく）使用可能なものである。
【発明を実施するための最良の形態】
【００１１】
以下には、図面を参照して、この発明の実施形態について具体的に説明をする。
図１は、この発明の一実施形態に係るシステムベッド１の全体構成を示す斜視図であり、図２は、図１に示す構成から椅子６、ワゴン５２および梯子７を除いた状態のシステムベッド１の正面図、図３は同システムベッド１の右側面図、図４は同システムベッド１の左側面図である。
【００１２】
システムベッド１には、ベッドユニット２と、本棚ユニット３と、衣類棚ユニット４と、机ユニット５とが含まれている。これら各ユニット２〜５は、いずれも、四角い木製の柱を基調とした意匠で統一された木製である。つまりこのシステムベッド１は、木の温もりを出すように、各ユニット２〜５が木で作られた木製のシステムベッドである。
ベッドユニット２は、上方に水平に配置されているが、右側または左側のいずれかが頭部側と決められているわけではなく、使用者が所望する側を頭部側と使用できるように、長手方向（図１，２において左右方向）に対称な形状をしている。以下の説明では、仮に、図１，２における左側を頭部側、右側を足部側として説明する。
【００１３】
ベッドユニット２は、平面視が長方形状をしたベッドで、その四隅には上下方向に長手の４本の角柱２０が備えられており、各角柱２０の下方部は、ベッド底面２１より下方に延びて脚２２を構成している。角柱２０の水平方向断面は、略正方形状であり、ベッドユニット２０は、４本の角柱２０および角柱２０の下方部で構成された４本の脚２２によってしっかりと支えられた構成になっている。係る構造であるから、ベッドユニット２０は、単体で、ベッドとしてもそのまま使用することができる。つまり、単体として使用するときに、付属品を取付ける等の必要はなく、太い四角柱状の４本の脚２０により支えられたベッド単体としても、使用することができる。
【００１４】
本棚ユニット３は、図１において右側から主として本の出し入れができるように構成されており、平面視で、手前から奥方向に長手の長方形状をした底板３０と、底板３０の四隅に立設され、互いに平行に上方に延びる４本の支柱３１と、４本の支柱３１に取り付けられた下棚３２、中棚３３および上棚３４を有している。支柱３１は、共に、左右方向に幅が広く、前後方向の厚みがそれよりも薄い、水平方向断面形状が左右に長手の長方形状をした木材で構成されている。手前側の２本の支柱３１の上端は、支柱３１の厚み（前後方向の厚み）と等しい厚みの水平方向に延びる連結棒３５で接続されている。奥側の２本の支柱３１の上端も同様である。
【００１５】
本棚ユニット３の特徴の１つは、上棚３４が、ベッドユニット２の脚２２を乗せられる構造にされていることである。図１，２，４に示すように、左側の前方側支柱３１の奥側および後方側支柱３１の手前側にベッドユニット２の脚２２の外側面が対向するように、ベッドユニット２が本棚ユニット３の上棚３４に乗せられる。
衣類棚ユニット４は、平面視が奥行き方向（前後方向）に長手の長方形状をした底板４０と、底板４０の四隅に立設され、上下に長手の４本の支柱４１とを有している。４本の支柱４１は、左右方向の幅が広く、前後方向（奥行き方向）の厚みがそれよりも薄い、水平方向の断面形状が左右に長手の長方形状をした木材で構成されており、その高さは本棚ユニット３の支柱３１と等しい高さになっている。そして、４本の支柱４１のうち、前方側２本の支柱は左右に延びる水平の連結棒４５で連結され、後方側の２本の支柱４１も、同様に、水平方向に左右に延びる連結棒４５で連結されている。
【００１６】
衣類棚ユニット４にも上棚４４が備えられている。上棚４４の高さは、本棚ユニット３の上棚３４の高さと等しくされている。また、衣類棚ユニット４の上棚４４も、その上にベッドユニット２の脚２２を乗せられる構造とされている。ベッドユニット２は、右側に備えられた２本の脚２２が、それぞれ、上棚４４上の、前方右側に位置する支柱４１の裏側および後方右側に位置する支柱４１の手前側に隣接するように、上棚４４に乗せられる。
【００１７】
衣類棚ユニット４は、図１において主として右側から衣類の出し入れができるように構成されており、図３に示すように、右側面視において、底板４０の左上部には、たとえば３段の引き出し４６が備えられ、底板４０の右半分（奥側半分）上には、洋服等を吊るすためのクロゼット空間４７が形成されている。そして、クロゼット空間４７の上方の上棚４４の下面には、前後方向に延びるハンガーバー４８が備えられている。
【００１８】
机ユニット５は、平面視長方形状の天板５０および天板５０の右端を支える脚５１を有する。この実施形態では、机ユニット５には天板５０の左側を支える脚は備えられていない。天板５０の左側は、中棚３３に連結され、中棚３３によって支えられている。たとえば、天板５０の左端縁は、中棚３３の右端縁とほぼ面一に連結されている。
そして、天板５０の下には、ワゴン５２が配置される空間が形成されている。
【００１９】
図５は、ベッドユニット１と本棚ユニット３との組み立て構造、および、ベッドユニット２と衣類棚ユニット４との組み立て構造を説明するための図解的な図である。ベッドユニット２と本棚ユニット３との組み立て構造およびベッドユニット２と衣類棚ユニット４との組み立て構造は、基本的には同じ構造であるから、図５を参照して、その構造について説明をする。
【００２０】
上棚３４（４４）上に乗せられたベッドユニット２の２本の脚２２は、それぞれ、手前側支柱３１（４１）および奥側支柱３１（４１）と対向する。そして上棚３４（４４）の上方に突出する支柱３１（４１）には、上下方向２箇所に、水平方向に貫通するボルト４０を挿通するための孔が形成されている。また、脚２２には、支柱３１（４１）に形成された孔と対応する位置に、水平方向に貫通するボルト１０の挿通孔が形成されている。そして、支柱３１（４１）と脚２２とを連通するように、水平方向に延びるボルト１０が挿通され、ボルト１０の先端はナット１１に螺合されて固定される。なお、ボルト１０の頭１２が、支柱３１（４１）の表面から突出しないように、支柱３１（４１）表面に適当な凹部が形成されていてもよい。また、ナット１１は、脚２２から突出しないように、脚２２に凹部が形成され、その中に埋め込まれていてもよい。あるいは、ナット１１に代えて、脚２２内に雌ねじ孔が埋設されていてもよい。
【００２１】
以上のように、この実施形態では、ベッドユニット２の脚２２を、ア．上棚３４（４４）上に乗せることにより下方から支えること、および、イ．上棚３４（４４）で支えた脚２２が、水平方向に動かないように、上下方向に延びる脚２２と平行な、上下方向に延びる支柱３１（４１）を設け、脚２２と支柱３１（４１）との水平方向の重なり部分を、ボルト１０で固定することによって、脚２２が上棚３４（４４）上で水平方向に動かないようにした。
【００２２】
これにより、ベッドユニット２が上部に配置されたシステムベッドであっても、横揺れに強く、安定した形態のシステムベッド１とすることができる。
さらに、組み立て構造を強固にするという観点から、本棚ユニット３の右側の支柱３１（手前右側の支柱および奥右側の支柱の双方）の上端は、ベッドユニット２の水平に延びる側面下枠２３と対向する。そこで、この支柱３１の上端部とベッドユニット２の側面下枠２３も、ボルト１０およびナット１１で連結するのが好ましい。
【００２３】
同様に、衣類棚ユニット４の左側支柱４１（前方左側支柱および後方左側支柱の双方）の上端は、ベッドユニット２の側面下枠２３と対向する。そこで、支柱４１の上端と側面下枠２３とをボルト１０およびナット１１で連結するのが望ましい。
以上のように、この発明の組み立て構造は構成されているから、この発明によれば、ベッドユニット、本棚ユニットおよび衣類棚ユニットを備え、ベッドユニットが上方に配置されるシステムベッドにおいて、木製でありながら、しっかりと組み立てられ、横揺れに強く安定した強度を保つ見栄えの良いシステムベッドを提供することができる。
【００２４】
この発明は、以上説明した実施形態に限定されるものではなく、請求項記載の範囲内において種々の変更が可能である。
たとえば、本棚ユニット３の構成や、衣類棚ユニット４の構成は、具体的な一例を示しているにすぎず、本棚ユニット３の棚の数や、衣類棚ユニット４のクロゼット空間の構成等が、この実施形態に限定されるものではない。
【図面の簡単な説明】
【００２５】
【図１】この発明の一実施形態に係るシステムベッド１の全体構成を示す斜視図である。
【図２】この発明の一実施形態に係るシステムベッド１の正面図であり、図１の構成から、ワゴン５２、椅子６および梯子７が除かれた図である。
【図３】この発明の一実施形態に係るシステムベッド１の右側面図である。
【図４】この発明の一実施形態に係るシステムベッド１の左側面図である。
【図５】この発明の一実施形態に係るシステムベッド１の特徴の１つである組み立て構造を説明するための図解的な図である。
【符号の説明】
【００２６】
１    システムベッド
２    ベッドユニット
３    本棚ユニット
４    衣類棚ユニット
５    机ユニット
１０    ボルト
１１    ナット
２０    角柱
２１    底面
２２    脚
３０    底板
３１    支柱
３４    上棚
３５    連結棒
４０    底板
４１    支柱
４４    上棚
４５    連結棒
５０    天板
５１    脚
【図１】
2006055469.tif 000003
【図２】
2006055469.tif 000004
【図３】
2006055469.tif 000005
【図４】
2006055469.tif 000006
【図５】
2006055469.tif 000007